(57)【特許請求の範囲】
【請求項１】
被加熱物を入れるための本体と、
前記本体内に入れられた被加熱物を加熱するための加熱手段と、
前記加熱手段に電力を供給する電源と接続するための接続手段と、
前記加熱手段よりも前記接続手段側で前記接続手段の一側と他側との間に接続されたコイルと、
前記加熱手段と前記接続手段との間の回路上に設けられ、前記コイルに電圧が印加されている場合は閉じ、前記コイルに電圧が印加されていない場合は開く接点と、
前記接続手段が前記電源に接続されているときに前記加熱手段が動作していない状態が所定時間継続した場合に、前記コイルに印加されている電圧を遮断する遮断手段と、
を備えた加熱調理器。
【請求項２】
前記コイルと直列に接続され、所定の発熱異常が検出された場合に前記コイルに流れる電流を遮断する保護装置、
を備えた請求項１に記載の加熱調理器。
【請求項３】
前記本体の開口部を開閉するためのドアと、
前記加熱手段と前記接続手段との間の回路上に設けられ、前記ドアが開いている場合は開き、前記ドアが閉じている場合は閉じるドアスイッチと、
を備え、
前記遮断手段は、前記ドアスイッチが閉じた状態で前記接続手段が前記電源に接続されているときに前記加熱手段が動作していない状態が所定時間継続した場合に、前記コイルに印加されている電圧を遮断する請求項１又は請求項２に記載の加熱調理器。
【請求項４】
前記加熱手段と前記接続手段との間の回路上に設けられ、前記ドアが開いている場合は開き、前記ドアが閉じる直前に閉じて、前記ドアが閉じている場合は開くモメンタリスイッチ、
を備え、
前記接点は、前記モメンタリスイッチと並列に接続され、
前記コイルは、前記モメンタリスイッチ及び前記接点よりも前記加熱手段側で前記接続手段の一側と他側との間に接続された請求項３に記載の加熱調理器。
【請求項５】
前記ドアに設けられ、外周に突起を有するラッチ、
を備え、
前記本体は、前記ドアが閉じる際に前記ラッチが挿入されるための係止穴を有し、
前記ドアスイッチは、前記係止穴内に設けられ、前記ドアが閉じている場合に前記ラッチと接触することにより閉じ、
前記モメンタリスイッチは、前記係止穴内に設けられ、前記ドアが閉じる直前のときに前記突起と接触することにより閉じる請求項３又は請求項４に記載の加熱調理器。
【発明の詳細な説明】
【技術分野】
【０００１】
この発明は、加熱調理器に関するものである。
【背景技術】
【０００２】
電子レンジ等の加熱調理器として、ドアの開閉動作に関係なく電源回路を開閉するスイッチを備えたものが提案されている。この加熱調理器においては、未使用時にスイッチを手動で開閉することで、電源からの電力供給を遮断することができる（例えば、特許文献１参照）。
【先行技術文献】
【特許文献】
【０００３】
【特許文献１】特開平６−２４１４６９号公報
【発明の概要】
【発明が解決しようとする課題】
【０００４】
しかしながら、スイッチの操作を忘れると、未使用時であっても電源からの電力供給が継続される。
【０００５】
この発明は、上述のような課題を解決するためになされたもので、その目的は、未使用時に電源からの電力供給を確実に遮断することができる加熱調理器を提供することである。
【課題を解決するための手段】
【０００６】
この発明に係る加熱調理器は、被加熱物を入れるための本体と、前記本体内に入れられた被加熱物を加熱するための加熱手段と、前記加熱手段に電力を供給する電源と接続するための接続手段と、前記加熱手段よりも前記接続手段側で前記接続手段の一側と他側との間に接続されたコイルと、前記加熱手段と前記接続手段との間の回路上に設けられ、前記コイルに電圧が印加されている場合は閉じ、前記コイルに電圧が印加されていない場合は開く接点と、前記接続手段が前記電源に接続されているときに前記加熱手段が動作していない状態が所定時間継続した場合に、前記コイルに印加されている電圧を遮断する遮断手段と、を備えたものである。
【発明の効果】
【０００７】
この発明によれば、未使用時に電源からの電力供給を確実に遮断することができる。
【図面の簡単な説明】
【０００８】
【図１】この発明の実施の形態１における加熱調理器の斜視図である。
【図２】この発明の実施の形態１における加熱調理器の回路図である。
【図３】この発明の実施の形態１における加熱調理器の要部拡大図である。
【図４】この発明の実施の形態１における加熱調理器の要部拡大図である。
【図５】この発明の実施の形態１における加熱調理器の要部拡大図である。
【図６】この発明の実施の形態２における加熱調理器の回路図である。
【発明を実施するための形態】
【０００９】
この発明を実施するための形態について添付の図面に従って説明する。なお、各図中、同一又は相当する部分には同一の符号を付しており、その重複説明は適宜に簡略化ないし省略する。
【００１０】
実施の形態１．
図１はこの発明の実施の形態１における加熱調理器の斜視図である。
【００１１】
図１において、１は加熱調理器本体である。加熱調理器本体１には、加熱庫２が設けられる。加熱庫２の前面側は開口する。加熱庫２の底部には、ターンテーブル３が設けられる。加熱庫２の側壁には、給電口４が設けられる。
【００１２】
加熱調理器本体１の前面の一縁部には、ドア５の一縁部が軸支される。ドア５の外面の他縁部近傍には、ハンドル６が設けられる。ドア５の内面の他縁部近傍には、一対のラッチ７が設けられる。
【００１３】
加熱庫２の開口部の周りには、前面板８が設けられる。前面板８の他縁部近傍には、一対の係止穴９が形成される。
【００１４】
加熱調理器本体１の前面には、操作部１０が設けられる。操作部１０は、加熱庫２の開口部と並ぶように配置される。操作部１０の背面には、制御部１１が設けられる。
【００１５】
このような加熱調理器においては、加熱庫２の開口部から被加熱物が入れられる。この際、被加熱物は、ターンテーブル３の上に置かれる。この状態でドア５が閉められる。この際、ラッチ７が係止穴９に挿入することで、ドア５は閉じた状態を維持する。
【００１６】
この状態で操作部１０が操作されると、制御部１１での制御に基づいて、マグネトロン（図１においては図示せず）がマイクロ波を出射する。このマイクロ波は、給電口４を介して加熱庫２に伝播される。このマイクロ波により、被加熱物の加熱調理がなされる。加熱調理の終了後は、ハンドル６の操作により、ドア５が開く。この状態で加熱庫２の開口部から被加熱物が取り出される。
【００１７】
次に、図２を用いて、加熱調理器の回路を説明する。
図２はこの発明の実施の形態１における加熱調理器の回路図である。
【００１８】
１２は電源回路である。電源回路１２は、高圧トランス１３の一次側に接続される。高圧トランス１３の二次側には、高周波発信器１４が接続される。高周波発信器１４には、マグネトロン（高周波加熱手段）１５が接続される。
【００１９】
電源回路１２は、電源プラグ１６、ドアスイッチ１７、リレースイッチ１８、ヒューズ１９、モニタースイッチ２０、モメンタリスイッチ（マイクロスイッチ）２１、自己保持リレー２２、タイマー（遮断手段）２３、タイマー接点２４を備える。
【００２０】
電源プラグ１６は、電源（図示せず）と接続するための接続手段である。ドアスイッチ１７の一方の接点は、電源プラグ１６の一側と高圧トランス１３の一次側の一側との間に設けられる。ドアスイッチ１７の他方の接点は、電源プラグ１６の他側と高圧トランス１３の一次側の他側との間に設けられる。
【００２１】
リレースイッチ１８の接点は、ドアスイッチ１７の一方の接点と高圧トランス１３の一次側の一側との間に設けられる。ヒューズ１９は、電源プラグ１６の一側とドアスイッチ１７の一方の接点との間に接続される。モニタースイッチ２０の接点は、ドアスイッチ１７とリレースイッチ１８との間で、高圧トランス１３の一次側と並列に接続される。
【００２２】
モメンタリスイッチ２１の接点は、電源プラグ１６の他側とドアスイッチ１７の他方の接点との間に設けられる。自己保持リレー２２のコイルは、ドアスイッチ１７よりもモニタースイッチ２０側で高圧トランス１３の一次側と並列に接続される。自己保持リレー２２の接点は、電源プラグ１６の他側とドアスイッチ１７の他方の接点との間でモメンタリスイッチ２１の接点と並列に設けられる。
【００２３】
タイマー２３は、モニタースイッチ２０よりも高圧トランス１３の一次側でリレースイッチ１８の常時閉接点を介して高圧トランス１３の一次側と並列に接続される。タイマー接点２４は、ドアスイッチ１７よりもモニタースイッチ２０側で高圧トランス１３の一次側と並列かつ自己保持リレー２２のコイルと直列に設けられる。
【００２４】
次に、図３〜図５を用いて、ドアスイッチ１７の動作とモメンタリスイッチ２１の動作とを具体的に説明する。
図３〜図５はこの発明の実施の形態１における加熱調理器の要部拡大図である。図３はドア５が閉じようとしている状態を示す図である。図４はドア５が完全に閉まる直前の状態を示す図である。図５はドア５が完全に閉まった状態を示す図である。
【００２５】
図３に示すように、ドアスイッチ１７は、加熱調理器本体１内で係止穴９の上側に設けられる。ドアスイッチ１７には、接触部が設けられる。接触部は、ドアスイッチ１７から下方へ突出する。
【００２６】
モメンタリスイッチ２１は、加熱調理器本体１内で係止穴９の下側に設けられる。モメンタリスイッチ２１には、接触部が設けられる。接触部は、モメンタリスイッチ２１から上方に突出する。
【００２７】
ラッチ７の先端には、面取りが施される。ラッチ７の外周面の下部には、面取りに近接して突起が設けられる。突起は、ラッチ７の外周面から下方に突出する。
【００２８】
ドア５を閉じようとした場合、ドアスイッチ１７の接触部がラッチ７の面取りの上部に接触までは、ドアスイッチ１７の接点は開いている。その後、ドアスイッチ１７の接触部がラッチ７の面取りの上部に接触すると、ドアスイッチ１７の接点は閉じる。このとき、モメンタリスイッチ２１の接触部には、何も接触していない。このため、モメンタリスイッチ２１の接点は開いている。
【００２９】
図４に示すように、ドア５が完全に閉まる直前には、ドアスイッチ１７の接触部はラッチ７の外周面の上側に乗り上げる。このため、ドアスイッチ１７の接点は閉じた状態を維持する。このとき、モメンタリスイッチ２１の接触部はラッチ７の突起に接触する。この接触により、モメンタリスイッチ２１の接点は一瞬閉じる。
【００３０】
図５に示すように、ドア５が完全に閉まると、ドアスイッチ１７の接触部はラッチ７の外周面の上側に乗り上げた状態を維持する。このため、ドアスイッチ１７の接点は閉じた状態を維持する。このとき、モメンタリスイッチ２１の接触部はラッチ７の突起との接触から開放される。この開放により、モメンタリスイッチ２１の接点は開く。
【００３１】
次に、図３〜図５で説明した内容を踏まえ、図２の回路の動作を説明する。
まず、ドア５が閉じようとすると、図３に示したように、ドアスイッチ１７の接点が閉じる。その後、ドア５が完全に閉まる直前には、図４に示したように、ドアスイッチ１７が閉じた状態でモメンタリスイッチ２１の接点が閉じる。これにより、自己保持リレー２２のコイルに電圧が印加される。この印加により、自己保持リレー２２のコイルが励磁される。この励磁により、自己保持リレー２２の接点が閉じる。
【００３２】
その後、図５に示したように、ドア５が完全に閉じると、モメンタリスイッチ２１の接点が開く。しかしながら、ドアスイッチ１７の接点は閉じた状態を維持している。また、自己保持リレー２２の接点も閉じている。このため、自己保持リレー２２のコイルに対し、電圧の印加が維持される。これにより、自己保持リレー２２の接点は閉じた状態を維持する。
【００３３】
このとき、モニタースイッチ２０の接点が開く。この状態で、制御部１１により調理開始の信号が出力されないと、リレースイッチ１８の接点は動作しない。このため、タイマー２３に電圧が印加される。この電圧により、タイマー２３が動作する。この状態が所定時間継続すると、タイマー２３は、タイマー接点２４を開く。
【００３４】
これにより、自己保持リレー２２のコイルに対し、電圧の印加が遮断される。この遮断により、自己保持リレー２２の接点が開く。これにより、電源回路１２が開路状態となる。すなわち、電源からの電圧が高圧トランス１３の一次側に印加されることはない。このため、高周波発信器１４が動作しない。従って、マグネトロン１５に電力が供給されることもない。すなわち、マグネトロン１５がマイクロ波を出射することもない。
【００３５】
なお、加熱調理を開始する場合は、ドア５を再度開閉すればよい。この場合、上述したように、タイマー２３が動作する。しかしながら、所定時間が経過する前に操作部１０を操作すれば、加熱調理を開始することができる。
【００３６】
また、加熱調理の終了後、ドア５を開けば、ドアスイッチ１７の接点が開く。このため、自己保持リレー２２の接点も開く。これにより、電源回路１２は開路状態となる。
【００３７】
以上で説明した実施の形態１によれば、マグネトロン１５が動作していない状態が所定時間継続した場合に、自己保持リレー２２のコイルに印加されている電圧が遮断される。具体的には、ドア５を閉じた状態で放置しているときにマグネトロン１５が動作していない状態が所定時間継続した場合に、自己保持リレー２２のコイルに印加されている電圧が遮断される。これにより、電源回路１２が開路状態となる。このため、未使用時に電源からの電力供給を確実に遮断することができる。
【００３８】
また、自己保持リレー２２の接点は、電源プラグ１６の次に上流側となるように設けられる。このため、マグネトロン１５が動作していない状態が所定時間継続した場合に、自己保持リレー２２の接点よりも下流側にある電子部品に電圧が印加されることを防止できる。
【００３９】
また、自己保持リレー２２の動作は、モメンタリスイッチ２１で制御される。このモメンタリスイッチ２１は、ラッチ７の突起と接触することにより一瞬閉じるようになっている。このため、簡単な構成で自己保持リレー２２の動作を制御することができる。
【００４０】
実施の形態２．
図６はこの発明の実施の形態２における加熱調理器の回路図である。なお、実施の形態１と同一又は相当部分には同一符号を付して説明を省略する。
【００４１】
実施の形態２の加熱調理器は、実施の形態１の加熱調理器に保護装置２５を付加したものである。保護装置２５は、自己保持リレー２２のコイルとタイマー接点２４との間で、自己保持リレー２２のコイルとタイマー接点２４とに直列に接続される。保護装置２５は、サーモスタット、温度ヒューズ等からなる。
【００４２】
この保護装置２５は、マグネトロン１５、モニタースイッチ２０、ドアスイッチ１７等の外殻温度が異常温度に達した場合に、自己保持リレー２２のコイルに流れる電流を遮断する機能を備える。
【００４３】
以上で説明した実施の形態２によれば、保護装置２５は、所定の発熱異常が検出された場合に自己保持リレー２２のコイルに流れる電流を遮断する。これに対し、保護装置２５を主回路に搭載する場合は、メイン電流を遮断する定格電流の大きい保護装置２５が必要となる。
【００４４】
すなわち、本実施の形態においては、定格電流の小さい保護装置２５を使用することができる。これにより、保護装置２５の外形を小さくすることができる。このため、保護装置２５の数を容易に増やすことができる。これにより、複数の箇所に保護装置２５を設置し、電源からの電力供給を確実に遮断することができる。
【符号の説明】
【００４５】
１  加熱調理器本体
２  加熱庫
３  ターンテーブル
４  給電口
５  ドア
６  ハンドル
７  ラッチ
８  前面板
９  係止穴
１０  操作部
１１  制御部
１２  電源回路
１３  高圧トランス
１４  高周波発信器
１５  マグネトロン
１６  電源プラグ
１７  ドアスイッチ
１８  リレースイッチ
１９  ヒューズ
２０  モニタースイッチ
２１  モメンタリスイッチ
２２  自己保持リレー
２３  タイマー
２４  タイマー接点
２５  保護装置
【図１】
0005246293.tif 000002
【図２】
0005246293.tif 000003
【図３】
0005246293.tif 000004
【図４】
0005246293.tif 000005
【図５】
0005246293.tif 000006
【図６】
0005246293.tif 000007